(57)【特許請求の範囲】
【請求項１】
給水源に接続される配管系統を格納する配管系統格納部、該配管系統に接続されてノズルを備える消火用ホースを格納するホースバケットとしてのホース格納部、および消火器格納部、が内部に形成された本体と、該本体の前面側に、前記配管系統格納部、ホース格納部、及び消火器格納部で分割してそれぞれ設けられ、開口部を有する枠状に形成された複数の前面パネルと、によって筐体が構成され、ホース格納部用前面パネルの開口部内に前傾式の消火栓扉が設けられる消火栓装置であって、
前記ノズルは、前記消火栓扉の開放状態で、前記消火栓扉の幅方向に対して非平行状態となる如く、かつ先端部が前記消火栓扉の上部側を向く如く、前記消火栓扉の内面の左右方向の一方側に配置され、
前記消火栓弁開閉レバーは、断面略コ字状の前記消火栓扉の厚みから突出しないように、前記消火栓扉の内面の左右方向の他方側の側部に水平に配置され、
前記消火栓扉を閉じた状態で、前記消火栓扉と前記ホース格納部における前記消火栓扉の内面の左右方向の他方側と同じ側との間を、前記ホース格納部に格納されない前記消火用ホースの経路とする
ことを特徴とする消火栓装置。
【請求項２】
前記ノズルは、前記消火栓扉の内面の左右方向の略一方側半分を占有する如く配置され、
前記消火栓弁開閉レバーは、前記消火栓扉の内面の左右方向の略他方側半分を占有する如く配置され、
前記消火栓弁開閉レバーは、火災時に前記ホース格納部から引き出される前記消火用ホースが、当該消火栓弁開閉レバー自体に絡まずに、当該消火栓弁開閉レバーの上を這いながら引き出されるように配置される
ことを特徴とする請求項１記載の消火栓装置。
【請求項３】
前記本体は、前記配管系統格納部、ホース格納部、及び消火器格納部で分割可能に形成されている請求項１又は２記載の消火栓装置。
【発明の詳細な説明】
【技術分野】
【０００１】
この発明は、消火栓装置に関し、とくにトンネル向けの消火栓装置に関する。
【背景技術】
【０００２】
従来のトンネル向け消火栓装置は、給水源に接続される配管系統を格納する配管系統格納部、該配管系統に接続されてノズルを備える消火用ホースを格納するホース格納部、および消火器格納部、が内部に形成された本体と、該本体の前面側に配置され、開口部を有して枠状に形成された前面パネルと、によって筐体が構成され、開口部内に前傾式の消火栓扉などの扉体が設けられる。
【０００３】
消火栓扉は、ホース格納部から配管系統格納部に亘る横幅を有し、その内面側には、ノズル及び消火栓弁開閉レバーが配置される。消火栓弁開閉レバーはホース格納部側の側部に垂直状態で配置され、ノズルはその内側に、消火栓扉の開放状態で操作者と正対する如く、消火栓扉の幅方向と平行状態で配置される。また、ノズルと消火栓弁開閉レバーとの間にも、消火用ホースが引き出されたときに、消火栓弁開閉レバーに接触して、開閉レバーが誤操作しないように、及び消火用ホースが引き出されなくならないようにする目的で、アーチ状のレバー保護バーが垂直状態で配置される。
【０００４】
このように消火栓扉の内面に消火栓弁開閉レバー及びノズルを配置しているので、火災の発生時には、操作者は、消火栓扉を前方に開放してノズル付きホースを引き出し、消火栓弁開閉レバーを操作することで消火ポンプを起動して放水を行うという消火活動が煩雑とならずに行える（例えば、特許文献１参照）。
【特許文献１】特開２００１−９５９４１号公報
【発明の開示】
【発明が解決しようとする課題】
【０００５】
近年、筐体を構成する前面パネルや本体などを分割構造として、消火栓装置の運搬や設置の作業の容易化、及び交換費用低減などのメンテナンスの容易化が要望されており、各格納部に対応して前面パネル又は本体を分割可能にすることが考えられ、その場合、消火栓扉として、配管系統格納部に亘らずに、ホース格納部の横幅の範囲内とする必要がある。
【０００６】
しかし、前傾式の消火栓扉の横幅をホース格納部のそれと同程度に縮小した場合、従来のように消火栓扉の開放状態で、消火栓扉の幅方向と平行状態となる如くノズルを配置すると、消火用ホースの屈曲半径が小さくなるので、消火用ホースに無理な負荷をかけ、折れや破損につながる可能性がある。また、従来のように垂直状態で消火栓弁開閉レバー及びレバー保護バーを配置すると、ノズルからホース格納部に至るまでのホースやホース格納部の構成部材などに接触して消火栓扉の開閉動作に不都合が生じる可能性があり、これを解消しようとしてスペースを設けると筐体が大型化してしまう。
【０００７】
この発明は、前傾式の消火栓扉の横幅をホース格納部のそれと同程度に縮小した場合に、ノズル及び消火栓弁開閉レバーを消火栓扉の内面に配置しても、不都合が生じないようにすることを目的とするものである。
【課題を解決するための手段】
【０００８】
この発明は、給水源に接続される配管系統を格納する配管系統格納部、該配管系統に接続されてノズルを備える消火用ホースを格納するホースバケットとしてのホース格納部、および消火器格納部、が内部に形成された本体と、該本体の前面側に、前記配管系統格納部、ホース格納部、及び消火器格納部で分割してそれぞれ設けられ、開口部を有する枠状に形成された複数の前面パネルと、によって筐体が構成され、ホース格納部用前面パネルの開口部内に前傾式の消火栓扉が設けられる消火栓装置であって、前記ノズルは、前記消火栓扉の開放状態で、前記消火栓扉の幅方向に対して非平行状態となる如く、かつ先端部が前記消火栓扉の上部側を向く如く、前記消火栓扉の内面の左右方向の一方側に配置され、前記消火栓弁開閉レバーは、断面略コ字状の前記消火栓扉の厚みから突出しないように、前記消火栓扉の内面の左右方向の他方側の側部に水平に配置され、前記消火栓扉を閉じた状態で、前記消火栓扉と前記ホース格納部における前記消火栓扉の内面の左右方向の他方側と同じ側との間を、前記ホース格納部に格納されない前記消火用ホースの経路とすることを特徴とするものである。
【０００９】
また、前記ノズルは、前記消火栓扉の内面の左右方向の略一方側半分を占有する如く配置され、前記消火栓弁開閉レバーは、前記消火栓扉の内面の左右方向の略他方側半分を占有する如く配置され、前記消火栓弁開閉レバーは、火災時に前記ホース格納部から引き出される前記消火用ホースが、当該消火栓弁開閉レバー自体に絡まずに、当該消火栓弁開閉レバーの上を這いながら引き出されるように配置されることを特徴とするものである。
【００１１】
また、前記本体は、前記配管系統格納部、ホース格納部、及び消火器格納部で分割可能に形成されているものである。
【発明の効果】
【００１２】
この発明によれば、給水源に接続される配管系統を格納する配管系統格納部、該配管系統に接続されてノズルを備える消火用ホースを格納するホース格納部、および消火器格納部、が内部に形成された本体と、該本体の前面側に、前記配管系統格納部、ホース格納部、及び消火器格納部で分割してそれぞれ設けられ、開口部を有する枠状に形成された複数の前面パネルと、によって筐体が構成され、ホース格納部用前面パネルの開口部内に前傾式の消火栓扉が設けられる消火栓装置であって、前記ノズルは、前記消火栓扉の開放状態で、前記消火栓扉の幅方向に対して非平行状態になる如く、かつ先端部が前記消火栓扉の上部側を向く如く、前記消火栓扉の内面側に配置されるものであるので、消火栓扉の横幅をホース格納部のそれと同程度に縮小した場合に、ノズルを消火栓扉の内面に配置しても、ノズルの設置向きを消火用ホースに無理な負荷をかけない角度とすることができて、折れや破損が生じない。また、火災時に操作者がノズルを掴みやすい角度となり、消火作業が行いやすい。
【００１３】
また、前記消火栓扉の内面側の側部に消火栓弁開閉レバーが水平に配置されるものであるので、消火栓扉を閉じた状態で、ノズルからホース格納部に至るまでのホースやホース格納部の構成部材などに接触することがなく、筐体を薄型化できる。また、火災時に消火用ホースが引き出されたときに、消火用ホースは、消火栓扉の内面上、及び消火栓弁開閉レバーの上を這いながら引き出されるので、消火栓弁開閉レバーに接触して開閉レバーが誤操作したり、開閉レバーに接触することによって消火用ホースが引き出されなくなるということがなくなるため、レバー保護バーを不要することができる。このとき、消火栓弁開閉レバーは、前記消火栓扉の内側から突出しないものであると、より好適である。
【００１４】
そして、ノズル及び消火栓弁開閉レバーを上記のように組み合わせて配置することによって、限られた横幅の消火栓扉の内面に配置しても、不都合が生じないようにすることができる。
【００１５】
また、前記本体は、前記配管系統格納部、ホース格納部、及び消火器格納部で分割可能に形成されているものであるので、筐体全体を分割構造とできて、消火栓装置の運搬や設置の作業の容易化、及び交換費用低減などのメンテナンスの容易化が可能となる。
【発明を実施するための最良の形態】
【００１６】
実施の形態１
以下、本発明の一実施の形態について説明する。図において、実施の形態１の消火栓装置１００は、消火用ホースを備えている消火栓装置である。この消火栓装置１００は、例えばトンネル内の車道に隣接する監査路上に設置されたり、トンネルの内壁に埋設されて設置されたりするものである。
【００１７】
消火栓装置１００は、図１から図３に示すように、その本体１０の前面に前面パネル２１が設置されて筐体を形成し、その内部に、先端にノズル６０を有する消火用ホースとしてのホース５、そのホース５を内巻に収納するホース収納部としてのホースバケット１２、自動調圧弁２、消火栓弁３等を備えて図示しない給水源に接続される配管系統４、図示しない消火器を備えている。
【００１８】
本体１０および前面パネル２１は、ホース格納部としての中央部Ｃ、消火器格納部としての左側部Ｒ、および配管系統格納部としての右側部Ｌで構成され、図４に示すように、本体１０としての底面１０ｆＣ、１０ｆＲ、１０ｆＬ、背面１０ｂＣ、１０ｂＲ、１０ｂＬおよび上面１０ｓＣ、１０ｓＲ、１０ｓＬが各部を組み合わせて一面となるように構成されている。そして、本体１０の左右側面は、左側部Ｒの左側面１０ｒと、右側部Ｌの右側面１０ｐとなっている。
【００１９】
中央部Ｃ、左側部Ｒおよび右側部Ｌの前方には、それぞれ開口部を有する枠状の前面パネル２１Ｃ、２１Ｒ、２１Ｌが取り付けられていて、その開口部を覆うように、扉体としての消火栓扉１４、消火器扉２６、配管扉１５がそれぞれに設置されている。前面パネル２１Ｃ、２１Ｒ、２１Ｌは、それぞれ、ホース格納部用前面パネル、消火器格納部用前面パネル、配管系統格納部用前面パネルとして機能する。
【００２０】
中央部Ｃには、図４に示されるように、その横幅全体を利用して、ホース５を右回りで内巻きに収納するホースバケット１２が設けられている。このホースバケット１２は、本体１０の内壁上面１０ｓＣから内壁底面１０ｆＣに至る如く設けられた２本の棒状体１２ａ，１２ａとその棒状体１２ａ，１２ａから本体１０の内壁背面１０ｂＣに至る如く設けられた略Ｌ字状に屈曲した２枚の帯板１２ｂ，１２ｂとからなり、２本の棒状体１２ａの間に形成される中央開口部１２ｃからホース５を引き出したり収容したりする。またこのホースバケット１２の帯板１２ｂ，１２ｂと筐体１０の内壁上面１０ｓＣと内壁底面１０ｆＣとの間には隅部開口部が設けられて、ホースバケット１２内にホース５を整然と巻き付けて収容するのを容易に行うことができる。
【００２１】
中央部Ｃの開口部には、上部に上側扉１３、下部に消火栓扉１４が設けられていて、開口部の上縁と下縁にそれぞれ図示しないヒンジを介して上下に開閉自在に設けられている。消火栓扉１４は断面略コ字状であり、上端に配置したハンドル４３を手前に引くことで、上側扉１３とのラッチによる係合が解除されて、約９０度、前傾するように開放動作し、これによって、ホースバケット１２のホース引き出し用の中央開口部１２Ｃよりホース５を引き出すことができる。そして、その状態で、上側扉１３を約９０度、跳ね上げるように開放動作することによって、ホースバケット１２の中央開口部１２Ｃの全体を外部に露出させた状態で、ホース５の収納作業を行うことができる。
【００２２】
消火栓扉１４の内面側には、図２に示されるように、ホース５が挿通されるホースガイド１７、消火栓弁３の開閉レバー３ａ、図示しないノズルホルダが設けられて、このノズルホルダによってノズル６０が保持されている。
【００２３】
ノズル６０は、内面の略中央に設けられたホースガイド１７を挿通したホース５の先端に設けられ、図２に示されるように、消火栓扉１４を開放した状態で、消火栓扉１４の幅方向に対して非平行状態で、かつ先端部が前記消火栓扉１４の上部側を向くように配置されており、図２の場合は、上部左側方向を向くようにして、消火栓扉１４の内面の略左側半分を占有する如く配置されているが、上部右側方向を向くように配置してもよい。一方、開閉レバー３ａは、消火栓扉１４の内面側の右側部に水平に配置されて、開閉レバー３ａの開閉軌跡も含めると、消火栓扉１４の内面の略右側半分を占有する如く配置されていて、消火栓扉１４の限られた横幅のスペース内で、両者６０、３ａを効率的に配置している。
【００２４】
このように、ノズル６０は、消火栓扉１４を開放した状態で、消火栓扉１４の幅方向に対して非平行状態で、かつ先端部が消火栓扉１４の上部側を向くように配置されているので、本実施の形態のように、消火栓扉１４の横幅をホース格納部としての中央部Ｃのそれと同程度に縮小した場合でも、図１に示されるように、ホース５のノズル６０側先端部の屈曲半径が小さくならないので、ホース５に無理な負荷がかからず、折れや破損が生じない。また、ノズル６０の先端部が消火栓扉１４の上部側を向くように配置されているので、火災時に、操作者はノズル６０を掴みやすく、ノズル６０を取ってホース５を引き出す作業を感覚的に行いやすい。なお、ノズル６０の設置向きとしては、ホース５に無理な負荷をかけない角度、操作者がノズル６０を掴みやすい角度であればよく、本実施の形態の角度に限定されない。
【００２５】
ここで、図１に示されるように、消火栓扉１４を閉じた状態では、消火栓扉１４の右側部側とホースバケット１２の右側の帯板１２ｂとの間は、ノズル６０からホースバケット１２に至るまでの、ホースバケット１２に収納されていないホース５の経路となるが、消火栓扉１４の内面側の右側部に開閉レバー３ａが水平に配置して、開閉レバー３ａの本体１０側への突出を抑制しており、これによって、消火栓扉１４を閉じた状態で、ホースバケット１２に収納されないホース５やホースバケット１２の前面に接触することがなく、筐体を薄型化できる。また、火災時にホース５が引き出されたときに、ホース５は、消火栓扉１４の内面上、及び開閉レバー３ａの上を這いながら引き出されるので、開閉レバー３ａに接触して開閉レバー３ａが誤操作したり、開閉レバー３ａに接触することによってホース５が引き出されなくなるということがなくなるため、レバー保護バーを不要することができる。特に、図３に示されるように、開閉レバー３ａは、消火栓扉１４の内側（厚み）から突出しないものであり、より好適である。
【００２６】
なお、ノズル６０及び開閉レバー３ａは、上記のような組み合わせ以外でもよく、互いが阻害することなく不都合が生じないようにすることができる配置であればよい。
【００２７】
左側部Ｒの開口部には、消火器扉２６とともに電気機器取付板２８が設けられている。この電気機器取付板２８には、表示灯５５や非常用発信器５６、応答ランプ５７などが取り付けられ、その他、電話ジャック、非常用コンセントなどの電気機器を備えることができる。この取付板２８は、詳細に示さないが、４隅で図示しない取付穴にねじ止めされて固定される。なお、消火器扉２６の内側には、図示しない消火器を配置するための配置スペース２６Ｓがある。
【００２８】
この本体１０の下側には、設置面に固定される架台１１が配置され、図４に示されるように、この架台１１の上面に、本体１０を構成する中央部Ｃ、左側部Ｒ、右側部Ｌがそれぞれの底面１０ｆＣ、１０ｆＲ、１０ｆＬでボルト締めにより固定される。この架台１１は、断面略コ字状の鋼材による枠体であるが、その内側に対して必要な補強部材が設けられていて、例えばトンネルの監査路に沿って形成された箱抜き部分のような設置面に対して、アンカーなどで強固に固定される。
【００２９】
このような消火栓装置１００の設置について説明すると、まず、設置面の所定位置に架台１１をアンカーで固定する。
【００３０】
固定された架台１１に、筐体の中央部Ｃ、左側部Ｒおよび右側部Ｌがそれぞれ個別に架台１１上に載置され、例えば中央部Ｃでは、底面１０ｆＣで架台１１とボルト締めにより固定され、各部の底面をボルト締めによって架台１１に固定する。このように、架台１１に対して固定することで、各部がそれぞれ所定の位置に位置決めされることとなり、本体１０としての底面、背面および上面が一面に接合されることになる。
【００３１】
これら、筐体の中央部Ｃ、左側部Ｒおよび右側部Ｌの下方を上記のように固定した後、中央部Ｃおよび左側部Ｒの間、中央部Ｃおよび右側部Ｌの間を固定する。ここで、中央部Ｃ、左側部Ｒおよび右側部Ｌを構成する各面、底面１０ｆＣ、１０ｆＲ、１０ｆＬ、背面１０ｂＣ、１０ｂＲ、１０ｂＬおよび上面１０ｓＣ、１０ｓＲ、１０ｓＬの端部には、それぞれ縁部１０Ｆが内向きに形成されている。中央部Ｃおよび左側部Ｒの間では、上面１０ｓＣ、１０ｓＲの両縁部１０Ｆを２箇所（１箇所でもよい）ボルト締めすることで結合させ、また、中央部Ｃおよび右側部Ｌの間では、上面１０ｓＣ、１０ｓＬの両縁部１０Ｆを２箇所ボルト締めすることで結合させて固定する。
【００３２】
これにより、各部は架台１１に対して下方で固定されると同時に、上面１０ｓＣ、１０ｓＲ、１０ｓＬの間で上方で固定され、ぐらつくことがない。
【００３３】
このように、底面１０ｆＣ、１０ｆＲ、１０ｆＬ、背面１０ｂＣ、１０ｂＲ、１０ｂＬおよび上面１０ｓＣ、１０ｓＲ、１０ｓＬの隣り合う面は、その縁部１０Ｆが当接することによって接合されていて、各面の両端で確実に当ることとなり、面に対して垂直方向にずれが発生しても隙間が空くようなことはない。
【００３４】
これら、本体１０の中央部Ｃ、左側部Ｒおよび右側部Ｌは、製造時に前面パネル２１Ｃ、２１Ｒ、２１Ｌがそれぞれ取り付けられているとともに（前方から４隅でねじ止めされる）、各扉および板が設けられて調整済みで、筐体の内部に設けられるホース５を備えるホースバケット１２や自動調圧弁２、消火栓弁３、給水栓７等を備える配管系統４が組み込まれている。そして、設置面での結合によって消火栓装置１００として使用できる状態である。
【００３５】
つぎに、このような消火栓装置１００の使用方法について、火災の発生時、ホース５を伸ばしてノズル６０から放水する場合を説明する。
【００３６】
操作者は、まず消火栓扉１４を開けるため、ハンドル４３を握り手前に引くことで、消火栓扉１４が約９０度手前に倒れるように開放する。この消火栓扉１４が開放すると、その開口部からノズル６０と開閉レバー３ａが見える。
【００３７】
つぎに、操作者は、ノズル６０を図示しないノズルホルダから取り外し、開閉レバー３ａを手前に引くことで、図示しないワイヤで結合する消火栓弁３を開放することができ、消火栓弁３の一次側まで給水源から供給されている消火水が自動調圧弁２を介してホース５内に流入する。このとき、ノズル６０が前方を向いているので、操作者はノズル６０を掴みやすい。
【００３８】
この状態で、取り外したノズル６０を握りながら、操作者が火災の現場に向うと、ノズル６０に接続されているホース５がホースバケット１２から順次繰り出される。このとき、ホース５の引き出し角度によっては、開閉レバー３ａと接触することがあるが、開閉レバー３ａの上面を繰り出されるだけでレバー３ａ自体に絡まることはない。そして、火災の現場に近づき、ノズル６０から消火水を放出して消火活動を行うことができる。
【００３９】
このように使用したホース５を収容する際には、上側扉１３を約９０度手前に跳ね上げるように開放することにより、開口部が大きくなって、ホースバケット１２への収容作業が行いやすくなる。
【００４０】
同様に、火災の発生時に消火器を利用する場合を説明すると、操作者は、まず消火器扉２６を開けるため、ハンドル２６ａを握り、横開きに消火器扉２６を開放させる。この消火器扉２６が開放すると、その開口部から図示しない消火器が見える。
【００４１】
そして、操作者は、図示しない消火器を取り出し、取り出した消火器をも持って火災の現場に向い、その消火器から消火剤を噴出させて消火活動を行うことができる。
【００４２】
また、火災の発生時に消防隊が給水栓７を利用する場合を説明すると、消防隊員は、まず配管扉１５を開けるため、ハンドル１５ａを握り、横開きに配管扉１５を開放させる。この配管扉１５が開放すると、その開口部から給水栓７が見える。
【００４３】
そして、消防隊員は、用意している消防隊用のホースをその給水栓７につなぎ、給水栓７を開放させて消防隊用のホースに接続されている消防隊用のノズルを持って消防隊員が火災の現場に向う。そして、火災の現場に近づき、消防隊用のノズルから消火水を放出して消火活動を行うことができる。
【００４４】
このように、各扉は使用する部分に応じて必要な大きさに開口するよう、設定されている。
【００４５】
なお、この消火栓装置１００では、配管系統４に消防隊用の給水栓７を有しているもので説明しているが、給水栓７が不要な場合もあり、そのとき、配管扉１５は扉形式でなく、例えば、４隅をネジ止めによって着脱可能とする板形式であってもよい。また、開口部に設けられているその他の板部材について扉形式にしてもよい。
【００４６】
この実施の形態の消火栓装置１００は、給水源に接続される配管系統４を格納する配管系統格納部としての右側部Ｌ、該配管系統４に接続されてノズル６０を備える消火用ホースとしてのホース５を格納するホース格納部としての中央部Ｃ、および消火器格納部としての左側部Ｒ、が内部に形成された本体１０と、該本体１０の前面側に、前記配管系統格納部Ｌ、ホース格納部Ｃ、及び消火器格納部Ｒで分割してそれぞれ設けられ、開口部を有する枠状に形成された複数の前面パネル２１Ｌ，２１Ｃ，２１Ｒと、によって筐体が構成され、ホース格納部用前面パネル２１Ｃの開口部内に前傾式の消火栓扉１４が設けられる消火栓装置１００であって、前記ノズル６０は、前記消火栓扉１４を開放した状態で、前記消火栓扉１４の幅方向に対して非平行状態となる如く、かつ先端部が前記消火栓扉１４の上部側を向く如く、前記消火栓扉１４の内面側に配置されるものであるので、消火栓扉１４の横幅をホース格納部Ｃのそれと同程度に縮小した場合に、ノズル６０を消火栓扉１４の内面に配置しても、ノズル６０の設置向きをホース５に無理な負荷をかけない角度とすることができて、折れや破損が生じない。また、火災時に操作者がノズル６０を掴みやすい角度となり、消火作業が行いやすい。
【００４７】
また、前記消火栓扉１４の内面側の側部に消火栓弁開閉レバーとしての開閉レバー３ａが水平に配置されるものであるので、消火栓扉１４を閉じた状態で、ノズル６０からホース格納部Ｃに至るまでのホース５やホース格納部Ｃの構成部材などに接触することがなく、筐体を薄型化できる。また、火災時に消火用ホース５が引き出されたときに、消火用ホース５は、消火栓扉１４の内面上、及び消火栓弁開閉レバー３ａの上を這いながら引き出されるので、消火栓弁開閉レバー３ａに接触して開閉レバー３ａが誤操作したり、開閉レバー３ａに接触することによって消火用ホース５が引き出されなくなるということがなくなるため、レバー保護バーを不要することができる。このとき、消火栓弁開閉レバー３ａは、前記消火栓扉１４の内側から突出しないものであると、より良好である。
【００４８】
そして、ノズル６０及び消火栓弁開閉レバー３ａを上記のように組み合わせて配置することによって、限られた横幅の消火栓扉１４の内面に配置しても、不都合が生じないようにすることができる。
【００４９】
また、前記本体１０は、前記配管系統格納部Ｌ、ホース格納部Ｃ、及び消火器格納部Ｒで分割可能に形成されているものであるので、筐体全体を分割構造とできて、消火栓装置１００の運搬や設置の作業の容易化、及び交換費用低減などのメンテナンスの容易化が可能となる。
【００５０】
また、この実施の形態の消火栓装置１００は、本体１０と前面パネル２１で構成される筐体内に、給水源に接続される配管系統４と、配管系統４に接続されてノズル６０を備えるホース５と、設置スペース２６Ｓに設置される図示しない消火器とを備え、筐体は、底面１０ｆＣ、背面１０ｂＣおよび上面１０ｓＣを有する中央部Ｃと、底面１０ｆＲ、背面１０ｂＲ、上面１０ｓＲおよび左側面１０ｒを有する左側部Ｒと、底面１０ｆＬ、背面１０ｂＬ、上面１０ｓＬおよび右側面１０ｐを有する右側部Ｌと、から構成され、各部の底面、背面および上面を接合させるとともに、各部の前面側に、開口部を有する枠状の前面パネル２１Ｃ、２１Ｒ、２１Ｌが設けられ、各部の前面パネルを接合させて、筐体を形成するものであり、運搬や設置の際に、一体に扱う必要がなく、作業が容易であるという効果を奏する。
【００５１】
そして、中央部Ｃ、左側部Ｒおよび右側部Ｌは、設置する床面に固定される架台１１にそれぞれ個別に固定されるものであり、それぞれの位置決めをすることができ、さらに、各部の底面、背面および上面は、端部に縁部１０Ｆが形成され、縁部１０Ｆを当接させて接合され、この縁部でボルト締め等によって各部を固定させることができる。
【図面の簡単な説明】
【００５２】
【図１】この発明の実施の形態１を示す消火栓装置の正面図。
【図２】図１につき、消火栓扉の開放状態での横断面図。
【図３】図１につき、消火栓扉の開放状態での右側面図。
【図４】図１に用いる本体の組み立て方法を示す組立図。
【符号の説明】
【００５３】
１０ 本体、１１ 架台、２１ 前面パネル、４ 配管系統、５ ホース、６０ ノズル、Ｃ 中央部、Ｒ 左側部、Ｌ 右側部。
【図１】
0005746843.tif 000002
【図２】
0005746843.tif 000003
【図３】
0005746843.tif 000004
【図４】
0005746843.tif 000005